【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
再生標準モデルに従ってリアルタイムデータを再生する場合に、リアルタイムデータが連続して再生されるように前記リアルタイムデータを含むリアルタイムファイルをディスク状情報記録媒体に記録する記録方法であって、
前記再生標準モデルは前記ディスク状情報記録媒体から前記リアルタイムデータを読み出すピックアップと、該ピックアップにより読み出されたリアルタイムデータを一時的に保持するバッファメモリと、該バッファメモリからリアルタイムデータを読み出して処理する復号モジュールとを含み、
前記再生標準モデルのアクセス性能が次式で与えられ、
Ｔａｃｃ＝Ａ・ｄＮ＋Ｂ＋ｆ（Ｎ）、
ここで、Ｔａｃｃはピックアップが一の領域から他の領域へ移動するのに要する時間であるアクセスタイム、ｄＮはピックアップの移動前と移動後におけるディスク状記録媒体の回転数差、Ｂは定数であり、Ｎは加速、減速時の瞬時回転数、ｆ（Ｎ）はＮの関数であり、定数Ａは次式で与えられ、
Ａ＝Ｊ／（Ｔrq・Ｋj）
ここで、Ｊはディスクのイナーシャ、Ｔrqはモータトルク、Ｋjは換算定数であり、
前記記録方法は、
特性データを予め求めて保持するステップと、
前記保持した特性データに基づき前記再生標準モデルのアクセス性能を求め、
前記ディスク状情報記録媒体内の複数の論理的に連続した未使用領域から、前記求めた再生標準モデルのアクセス性能に基いて定まる再生時にアンダーフローを生じさせない再生条件であるリアルタイム再生条件を満たす領域をデータ記録用領域として検索するステップと、
その検索したデータ記録用領域にリアルタイムデータを記録するステップとを含み、
前記特性データを予め求めて保持するステップは、
前記ディスク状情報記録媒体を所定のトルク値で回転させ、次式よりＪの値を求めるステップと、
Ｊ＝ｄｔ・Ｋj・Ｔrq／（Ｎ１−Ｎ２）
ここで、ｄｔはスピンドルロック時間、Ｎ１は初期回転数、Ｎ２は目標回転数であり、
求めたＪの値に基づき定数Ａを求め、さらに定数Ｂを求めるステップと、
求めた定数Ａ、Ｂの値を、前記ディスク状情報記録媒体を再生する情報記録再生装置のメモリまたは前記ディスク状情報記録媒体に格納するステップとを含む
ことを特徴とするディスク状情報記録媒体の記録方法。
【請求項２】
再生標準モデルに従ってリアルタイムデータを再生する場合に、リアルタイムデータが連続して再生されるように前記リアルタイムデータを含むリアルタイムファイルをディスク状情報記録媒体に記録する情報記録装置であって、
前記再生標準モデルは前記ディスク状情報記録媒体から前記リアルタイムデータを読み出すピックアップと、該ピックアップにより読み出されたリアルタイムデータを一時的に保持するバッファメモリと、該バッファメモリからリアルタイムデータを読み出して処理する復号モジュールとを含み、前記再生標準モデルのアクセス性能が次式で与えられ、
Ｔａｃｃ＝Ａ・ｄＮ＋Ｂ＋ｆ（Ｎ）、
ここで、Ｔａｃｃはピックアップが一の領域から他の領域へ移動するのに要する時間であるアクセスタイム、ｄＮはピックアップの移動前と移動後におけるディスク状記録媒体の回転数差、Ｂは定数であり、Ｎは加速、減速時の瞬時回転数、ｆ（Ｎ）はＮの関数であり、定数Ａは次式で与えられ、
Ａ＝Ｊ／（Ｔrq・Ｋj）
ここで、Ｊはディスクのイナーシャ、Ｔrqはモータトルク、Ｋjは換算定数であり、
前記記録装置は、
特性データを予め求めて保持する手段と、
前記保持した特性データに基づき前記再生標準モデルのアクセス性能を求め、前記ディスク状情報記録媒体内の複数の論理的に連続した未使用領域から、前記求めた再生標準モデルのアクセス性能に基いて定まる再生時にアンダーフローを生じさせない再生条件であるリアルタイム再生条件を満たす領域をデータ記録用領域として検索する検索手段と、
その検索したデータ記録用領域にリアルタイムデータを記録する記録手段とを備え、
前記特性データを予め求めて保持する手段は、
前記ディスク状情報記録媒体を所定のトルク値で回転させ、次式よりＪの値を求め、
Ｊ＝ｄｔ・Ｋj・Ｔrq／（Ｎ１−Ｎ２）
ここで、ｄｔはスピンドルロック時間、Ｎ１は初期回転数、Ｎ２は目標回転数であり、
求めたＪの値に基づき定数Ａを求め、さらに定数Ｂを求め、求めた定数Ａ、Ｂの値を、前記ディスク状情報記録媒体を再生する情報記録再生装置のメモリまたは前記ディスク状情報記録媒体に格納する
ことを特徴とする情報記録装置。
【請求項３】
再生標準モデルに従ってリアルタイムデータを再生する場合に、リアルタイムデータが連続して再生されるように前記リアルタイムデータを含むリアルタイムファイルをディスク状情報記録媒体に記録する記録方法であって、
前記再生標準モデルは前記ディスク状情報記録媒体から前記リアルタイムデータを読み出すピックアップと、該ピックアップにより読み出されたリアルタイムデータを一時的に保持するバッファメモリと、該バッファメモリからリアルタイムデータを読み出して処理する復号モジュールとを含み、
前記再生標準モデルのアクセス性能は、前記ディスク状情報記録媒体上のデータのアドレスに基づいて規定されるディスク回転数をパラメータとして予めその特性が規定され、
前記記録方法は、
前記ディスク状情報記録媒体内の複数の論理的に連続した未使用領域から、前記再生標準モデルのアクセス性能に基いて定まる再生時にアンダーフローを生じさせない再生条件であるリアルタイム再生条件を満たす領域をデータ記録用領域として検索するステップと、
その検索したデータ記録用領域にリアルタイムデータを記録するステップとを含む
ことを特徴とするディスク状情報記録媒体の記録方法。
【請求項４】
ディスク上のアドレスと、ディスクの半径位置、ディスク回転数との関係は次式で与えられ、
Ａ１＝Ｃ・（π・ｒ１2−π・ｒ０2）、
Ａ２＝Ｃ・（π・ｒ２2−π・ｒ０2）、
Ｎ１＝Ｄ／ｒ１、
Ｎ２＝Ｄ／ｒ２、
ここで、Ａ１はある領域から別の領域へ移動する際の移動元のアドレス、Ａ２は移動先のアドレスであり、ｒ１、ｒ２はそれぞれの半径位置、ｒ０はアドレスが０の場所での半径位置、Ｃは定数、Ｎ１，Ｎ２はアドレスＡ１、Ａ２に対応する回転数、Ｄは定数である
ことを特徴とする請求項３に記載のディスク状情報記録媒体の記録方法。
【請求項５】
再生標準モデルのアクセス性能は、ディスク回転数をパラメータとする次式で与えられ、
Ｔａｃｃ＝Ａ・ｄＮ＋Ｂ＋ｆ（Ｎ）、
ここで、Ｔａｃｃはピックアップが一の領域から他の領域へ移動するのに要する時間であるアクセスタイム、ｄＮはピックアップの移動前と移動後におけるディスク状記録媒体の回転数差、Ａは定数、Ｂは定数であり、Ｎは加速・減速時の瞬時回転数、ｆ（Ｎ）はＮに依存する関数であることを特徴とする請求項３に記載のディスク状情報記録媒体の記録方法。
【請求項６】
前記定数Ａは次式で与えられ、
Ａ＝Ｊ／（Ｔrq・Kj）、
ここで、Ｊ：ディスクイナーシャ、Ｔｒｑ：モータトルク、Ｋｊ：換算定数であり、イナーシャの値Ｊは、ディスクを予め決められたトルク値で回転させて、その時に要した時間に基づいて以下の式からその値を推定し、
Ｊ＝ｄｔ・Ｋｊ・Ｔｒｑ／（Ｎ１−Ｎ２）
それに基づいて定数Ａを求め、さらに定数Ｂについても予め推定し、これらの特性データを情報記録再生装置のメモリ、もしくはディスク状情報記録媒体に記録することを特徴とする請求項５に記載のディスク状情報記録媒体の記録方法。
【請求項７】
再生標準モデルのアクセス性能を規定する特性データに基いて記録されたディスク状情報記録媒体を再生する際に、前記特性データを、予め保持しているディスク状情報記録媒体から読み取って、記録再生装置が予め保持している特性データ値と比較して、ディスク状情報記録媒体から読み取った特性データの方が記録再生装置の特性データ値を上回る場合は、警告を出すステップをさらに含むことを特徴とする請求項３に記載のディスク状情報記録媒体の記録方法。
【請求項８】
再生標準モデルに従ってリアルタイムデータを再生する場合に、リアルタイムデータが連続して再生されるように前記リアルタイムデータを含むリアルタイムファイルをディスク状情報記録媒体に記録する情報記録装置であって、
前記再生標準モデルは前記ディスク状情報記録媒体から前記リアルタイムデータを読み出すピックアップと、該ピックアップにより読み出されたリアルタイムデータを一時的に保持するバッファメモリと、該バッファメモリからリアルタイムデータを読み出して処理する復号モジュールとを含み、
前記再生標準モデルのアクセス性能は、前記ディスク状情報記録媒体上のデータのアドレスに基づいて規定されるディスク回転数をパラメータとして予めその特性が規定され、
前記記録装置は、
前記ディスク状情報記録媒体内の複数の論理的に連続した未使用領域から、前記再生標準モデルのアクセス性能に基いて定まる再生時にアンダーフローを生じさせない再生条件であるリアルタイム再生条件を満たす領域をデータ記録用領域として検索する検索手段と、
その検索したデータ記録用領域にリアルタイムデータを記録する記録手段とを備える
ことを特徴とする情報記録装置。
【請求項９】
再生標準モデルに従ってリアルタイムデータを再生する場合に、リアルタイムデータが連続して再生されるように前記リアルタイムデータを含むリアルタイムファイルが記録されたディスク状情報記録媒体から前記リアルタイムデータを再生する再生方法であって、
前記再生標準モデルは前記ディスク状情報記録媒体から前記リアルタイムデータを読み出すピックアップと、該ピックアップにより読み出されたリアルタイムデータを一時的に保持するバッファメモリと、該バッファメモリからリアルタイムデータを読み出して処理する復号モジュールとを含み、
前記再生標準モデルのアクセス性能は、前記ディスク状情報記録媒体上のデータのアドレスに基づいて規定されるディスク回転数をパラメータとして予めその特性が規定され、
前記再生方法は、
前記ディスク状情報記録媒体からリアルタイムデータを読み出すステップと、
読み出されたリアルタイムデータを前記バッファメモリに一時格納するステップと、
該バッファメモリに格納されたリアルタイムデータを読み出してデコーダで復号するステップと、
一のリアルタイムデータをアクセス後、前記アクセス性能により定まるアクセスタイムＴａｃｃ以内に次のリアルタイムデータをアクセスするステップとを含む
ことを特徴とするディスク状情報記録媒体の再生方法。
【請求項１０】
ディスク上のアドレスと、ディスクの半径位置、ディスク回転数との関係は次式で与えられ、
Ａ１＝Ｃ・（π・ｒ１2−π・ｒ０2）、
Ａ２＝Ｃ・（π・ｒ２2−π・ｒ０2）、
Ｎ１＝Ｄ／ｒ１、
Ｎ２＝Ｄ／ｒ２、
ここで、Ａ１はある領域から別の領域へ移動する際の移動元のアドレス、Ａ２は移動先のアドレスであり、ｒ１、ｒ２はそれぞれの半径位置、ｒ０はアドレスが０の場所での半径位置、Ｃは定数、Ｎ１，Ｎ２はアドレスＡ１、Ａ２に対応する回転数、Ｄは定数であることを特徴とする請求項９に記載のディスク状情報記録媒体の再生方法。
【請求項１１】
再生標準モデルのアクセス性能は、ディスク回転数をパラメータとする次式で与えられ、
Ｔａｃｃ＝Ａ・ｄＮ＋Ｂ＋ｆ（Ｎ）、
ここで、Ｔａｃｃはピックアップが一の領域から他の領域へ移動するのに要する時間であるアクセスタイム、ｄＮはピックアップの移動前と移動後におけるディスク状記録媒体の回転数差、Ａは定数、Ｂは定数であり、Ｎは加速・減速時の瞬時回転数、ｆ（Ｎ）はＮに依存する関数であることを特徴とする請求項９に記載のディスク状情報記録媒体の再生方法。
【請求項１２】
定数Ａは次式で与えられ、
Ａ＝Ｊ／（Ｔrq・Kj）、
ここで、Ｊ：ディスクイナーシャ、Ｔｒｑ：モータトルク、Ｋｊ：換算定数であり、イナーシャの値Ｊは、ディスクを予め決められたトルク値で回転させて、その時に要した時間に基づいて以下の式からその値を推定し、
Ｊ＝ｄｔ・Ｋｊ・Ｔｒｑ／（Ｎ１−Ｎ２）
それに基づいて定数Ａを求め、さらに定数Ｂについても予め推定し、これらの特性データを情報記録再生装置のメモリ、もしくはディスク状情報記録媒体に記録することを特徴とする請求項１１に記載のディスク状情報記録媒体の再生方法。
【請求項１３】
再生標準モデルのアクセス性能を規定する特性データに基いて記録されたディスク状情報記録媒体を再生する際に、前記特性データを、予め保持しているディスク状情報記録媒体から読み取って、記録再生装置が予め保持している特性データ値と比較して、ディスク状情報記録媒体から読み取った特性データの方が記録再生装置の特性データ値を上回る場合は、警告を出すことを特徴とする請求項９に記載のディスク状情報記録媒体の再生方法。
【請求項１４】
再生標準モデルに従ってリアルタイムデータを再生する場合に、リアルタイムデータが連続して再生されるように前記リアルタイムデータを含むリアルタイムファイルが記録されたディスク状情報記録媒体から前記リアルタイムデータを再生する情報再生装置であって、
前記再生標準モデルは前記ディスク状情報記録媒体から前記リアルタイムデータを読み出すピックアップと、該ピックアップにより読み出されたリアルタイムデータを一時的に保持するバッファメモリと、該バッファメモリからリアルタイムデータを読み出して処理する復号モジュールとを含み、
前記再生標準モデルのアクセス性能は、前記ディスク状情報記録媒体上のデータのアドレスに基づいて規定されるディスク回転数をパラメータとして予めその特性が規定され、
前記情報再生装置は、
前記ディスク状情報記録媒体からリアルタイムデータを読み出すデータ再生手段と、
その読み出されたリアルタイムデータを一時格納するバッファメモリと、
該バッファメモリに格納されたリアルタイムデータを読み出して復号するデコーダとを備え、
前記データ再生手段は一のリアルタイムデータをアクセス後、前記アクセス性能により定まるアクセスタイムＴａｃｃ以内に次のリアルタイムデータをアクセスし、再生する、
ことを特徴とする情報再生装置。
【請求項１５】
再生標準モデルに従ってリアルタイムデータを再生する場合に、リアルタイムデータが連続して再生されるように前記リアルタイムデータを含むリアルタイムファイルを記録するディスク状情報記録媒体であって、
前記再生標準モデルは前記ディスク状情報記録媒体から前記リアルタイムデータを読み出すピックアップと、該ピックアップにより読み出されたリアルタイムデータを一時的に保持するバッファメモリと、該バッファメモリからリアルタイムデータを読み出して処理する復号モジュールとを含み、
前記再生標準モデルのアクセス性能は、前記ディスク状情報記録媒体上のデータのアドレスに基づいて規定されるディスク回転数をパラメータとして予めその特性が規定され、
前記ディスク状情報記録媒体内の複数の論理的に連続した未使用領域中の前記再生標準モデルのアクセス性能に基いて定まる再生時にアンダーフローを生じさせない再生条件であるリアルタイム再生条件を満たす領域に、前記リアルタイムデータが記録されていることを特徴とするディスク状情報記録媒体。
【手続補正２】
【補正対象書類名】明細書
【補正対象項目名】００２１
【補正方法】変更
【補正の内容】
【００２１】
ディスク状情報記録媒体内の複数の論理的に連続した未使用領域中の再生標準モデルのアクセス性能に基いて定まる再生時にアンダーフローを生じさせない再生条件であるリアルタイム再生条件を満たす領域に、リアルタイムデータが記録されている。
本発明の第６の態様の記録方法において、再生標準モデルのアクセス性能は次式で与えられる。
Ｔａｃｃ＝Ａ・ｄＮ＋Ｂ＋ｆ（Ｎ）
Ｔａｃｃはピックアップが一の領域から他の領域へ移動するのに要する時間であるアクセスタイム、ｄＮはピックアップの移動前と移動後におけるディスク状記録媒体の回転数差、Ｂは定数であり、Ｎは加速、減速時の瞬時回転数、ｆ（Ｎ）はＮの関数である。定数Ａは次式で与えられる。
Ａ＝Ｊ／（Ｔrq・Ｋj）
Ｊはディスクのイナーシャ、Ｔrqはモータトルク、Ｋjは換算定数である。
第６の態様の記録方法は、特性データを予め求めて保持するステップと、保持した特性データに基づき前記再生標準モデルのアクセス性能を求め、ディスク状情報記録媒体内の複数の論理的に連続した未使用領域から、求めた再生標準モデルのアクセス性能に基いて定まる再生時にアンダーフローを生じさせない再生条件であるリアルタイム再生条件を満たす領域をデータ記録用領域として検索するステップと、その検索したデータ記録用領域にリアルタイムデータを記録するステップとを含む。特性データを予め求めて保持するステップは、ディスク状情報記録媒体を所定のトルク値で回転させ、次式よりＪの値を求めるステップと、求めたＪの値に基づき定数Ａを求め、さらに定数Ｂを求めるステップと、求めた定数Ａ、Ｂの値を、前記ディスク状情報記録媒体を再生する情報記録再生装置のメモリまたはディスク状情報記録媒体に格納するステップとを含む。
Ｊ＝ｄｔ・Ｋj・Ｔrq／（Ｎ１−Ｎ２）
ｄｔはスピンドルロック時間、Ｎ１は初期回転数、Ｎ２は目標回転数。
本発明の第７の態様の情報記録装置において、再生標準モデルのアクセス性能は次式で与えられる。
Ｔａｃｃ＝Ａ・ｄＮ＋Ｂ＋ｆ（Ｎ）
Ｔａｃｃはピックアップが一の領域から他の領域へ移動するのに要する時間であるアクセスタイム、ｄＮはピックアップの移動前と移動後におけるディスク状記録媒体の回転数差、Ｂは定数であり、Ｎは加速、減速時の瞬時回転数、ｆ（Ｎ）はＮの関数である。定数Ａは次式で与えられる。
Ａ＝Ｊ／（Ｔrq・Ｋj）
Ｊはディスクのイナーシャ、Ｔrqはモータトルク、Ｋjは換算定数である。第７の態様の記録装置は、特性データを予め求めて保持する手段と、保持した特性データに基づき再生標準モデルのアクセス性能を求め、ディスク状情報記録媒体内の複数の論理的に連続した未使用領域から、求めた再生標準モデルのアクセス性能に基いて定まる再生時にアンダーフローを生じさせない再生条件であるリアルタイム再生条件を満たす領域をデータ記録用領域として検索する検索手段と、その検索したデータ記録用領域にリアルタイムデータを記録する記録手段とを備える。特性データを予め求めて保持する手段は、ディスク状情報記録媒体を所定のトルク値で回転させ、次式よりＪの値を求める。
Ｊ＝ｄｔ・Ｋj・Ｔrq／（Ｎ１−Ｎ２）
ｄｔはスピンドルロック時間、Ｎ１は初期回転数、Ｎ２は目標回転数である。
求めたＪの値に基づき定数Ａを求め、さらに定数Ｂを求め、求めた定数Ａ、Ｂの値をディスク状情報記録媒体を再生する情報記録再生装置のメモリまたはディスク状情報記録媒体に格納する。